(57)【要約】【課題】コイルスプリングに異物が挟まることを防止することが可能な跳躍式玩具を提供することを目的とする。【解決手段】伸縮可動部２０は、第２支柱部材２２と、コイルスプリング２４と、突き当て部材２６と、蛇腹部材２８から形成されている。第２支柱部材２２は、第１支柱部材１２の踏み台部材１６の設けられている側の端部に摺動自在に設けられている。コイルスプリング２４は、第２支柱部材２２の外周において一端が踏み台部材１６溶接され、さらに、太径部２２ａにて保持されることにより、所定の付勢力を維持した状態で配設されている。蛇腹部材２８は、コイルスプリング２４の外周に配設されるとともに太径部２２ａと突き当て部材２６とに挟まれることによりコイルスプリング２４の外周を包囲可能な位置に固定されている。【選択図】  図３
2004159867.tif 000002
【特許請求の範囲】
【請求項１】
棒状体からなる第１支柱部材と、同第１支柱部材の一端にて略直交するように配設されたハンドル部材と、同第１支柱部材の他端にて略直交するように配設された踏み台部材とから形成された本体部と、
上記第１支柱部材の上記踏み台部材の設けられている側の端部にて同第１支柱部材に対して摺動自在に設けられた第２支柱部材と、同第２支柱部材と上記第１支柱部材との間に介在されたコイルスプリングとを有する跳躍式玩具において、上記コイルスプリングの外周を包囲するように設けられた伸縮可能な蛇腹部材を有することを特徴とする跳躍式玩具。
【請求項２】
上記第２支柱部材の自由端は、筒状であって、開口部にフランジ部を有するとともに同開口部に対して挿入可能な略凸状に形成されたゴム状の突き当て部材が配設されており、上記蛇腹部材の端部は、軸方向と直交しつつ開口径を縮小する壁面を形成し、同壁面を上記フランジ部と上記突き当て部材にて挟み込んで保持されるようにしたことを特徴とする請求項１に記載の跳躍式玩具。
【請求項３】
上記第２支柱部材の自由端が、筒状であって、開口部にフランジ部を有するとともに同開口部に対して挿入可能な略凸状に形成されたゴム状の突き当て部材が配設されており、上記蛇腹部材の端部は、軸方向と直交しつつ開口径を縮小する壁面を形成し、同壁面を上記フランジ部の上記コイルスプリング側にて保持されるようにしたことを特徴とする請求項１に記載の跳躍式玩具。
【請求項４】
上記蛇腹部材は、軸方向に弾性を有しており、下端を上記第２支柱部材にて固定され、上端を上記踏み台部材に押し当てるようにして配設されていることを特徴とする請求項１〜請求項３のいずれかに記載の跳躍式玩具。
【発明の詳細な説明】
【０００１】
【発明の属する技術分野】
本発明は、玩具であって、跳躍運動を行なうための跳躍式玩具に関する。
【０００２】
【従来の技術】
従来、跳躍式玩具１としては、いわゆる、ホッピングと称されるものが知られている。このホッピングは、図５に示すように、所定長の金属性の第１支柱部材２の一端にハンドル（図示省略）を設け、他端に使用者が搭乗するための踏み台部材３を設け、さらに、この踏み台部材３の下側に第２支柱部材４とコイルスプリング５を取り付け、さらに、第２支柱部材４の自由端側に突き当て部材６を取り付けたものが知られている。このホッピングは、使用者がハンドルを握持しながら踏み台部材３に乗り、コイルスプリング５の伸縮による反動を利用して連続して跳躍させるようにして使用するものである。
【０００３】
【発明が解決しようとする課題】
しかしながら、上述した従来のホッピング等の跳躍式の玩具においては、コイルスプリングが露出しているので、このコイルスプリングの間に異物が挟まれたりして跳躍運動に支障が出る可能性がある。
【０００４】
そこで、本発明は、上記の課題に鑑みてなされたものであって、コイルスプリングに異物が挟まることを防止することが可能な跳躍式玩具を提供することを目的とする。
【０００５】
【課題を解決するための手段】
上記目的を達成するため、請求項１にかかる発明は、棒状体からなる第１支柱部材と、同第１支柱部材の一端にて略直交するように配設されたハンドル部材と、同第１支柱部材の他端にて略直交するように配設された踏み台部材とから形成された本体部と、上記第１支柱部材の上記踏み台部材の設けられている側の端部にて同第１支柱部材に対して摺動自在に設けられた第２支柱部材と、同第２支柱部材と上記第１支柱部材との間に介在されたコイルスプリングとを有する跳躍式玩具において、  上記コイルスプリングの外周を包囲するように設けられた伸縮可能な蛇腹部材を有する構成としてある。
上記のように構成した請求項１にかかる発明においては、コイルスプリングの外周を包囲するように蛇腹部材を配設する。蛇腹部材は、伸縮自在に形成されており、コイルスプリングの伸縮に追従して伸縮するように設けられているので、常時コイルスプリングを被覆している。
これにより、コイルスプリングに異物が挟まることを防止することができる。
【０００６】
また、請求項２にかかる発明は、上記第２支柱部材の自由端は、筒状であって、開口部にフランジ部を有するとともに同開口部に対して挿入可能な略凸状に形成されたゴム状の突き当て部材が配設されており、上記蛇腹部材の端部は、軸方向と直交しつつ開口径を縮小する壁面を形成し、同壁面を上記フランジ部と上記突き当て部材にて挟み込んで保持されるようにした構成としてある。
上記のように構成した請求項２にかかる発明においては、蛇腹部材の端部に設けられている壁面を第２支柱部材と突き当て部材とで挟み込むことで、蛇腹部材を第２支柱部材に固定する。
これにより、蛇腹部材を第２支柱部材に対して確実に固定することができる。
【０００７】
また、請求項３にかかる発明は、上記第２支柱部材の自由端が、筒状であって、開口部にフランジ部を有するとともに同開口部に対して挿入可能な略凸状に形成されたゴム状の突き当て部材が配設されており、上記蛇腹部材の端部は、軸方向と直交しつつ開口径を縮小する壁面を形成し、同壁面を上記フランジ部の上記コイルスプリング側にて保持されるようにした構成としてある。
上記のように構成した請求項３にかかる発明においては、蛇腹部材の端部に設けられている壁面が第２支柱部材に設けられているフランジ部に押し当てられるようにすることで、蛇腹部材を第２支柱部材に固定する。
これにより、蛇腹部材を第２支柱部材に対して容易かつ確実に固定することができる。
【０００８】
また、請求項４にかかる発明は、上記蛇腹部材は、軸方向に弾性を有しており、下端を上記第２支柱部材にて固定され、上端を上記踏み台部材に押し当てるようにして配設されている構成としてある。
上記のように構成した請求項４にかかる発明においては、蛇腹部材の下端を第２支柱部材にて固定し、上端を踏み台部材に押し当てるようにして配設する。この蛇腹部材は、伸縮性を有する部材にて形成されているので、コイルスプリングの伸縮に合わせて伸縮して、常時コイルスプリングを被覆している。
これにより、コイルスプリングに異物が挟まることを防止することができる。
【０００９】
【発明の効果】
以上説明したように本発明は、コイルスプリングに異物が挟まることを防止することが可能な跳躍式玩具を提供することができる。
また、請求項２にかかる発明によれば、蛇腹部材を第２支柱部材に対して確実に固定することができる。
また、請求項３にかかる発明によれば、蛇腹部材を第２支柱部材に対して容易かつ確実に固定することができる。
また、請求項４にかかる発明によれば、コイルスプリングに異物が挟まることを防止することができる。
【００１０】
【発明の実施の形態】
ここでは、下記の順序に従って本発明の実施形態を説明する。
（１）跳躍式玩具の概要：
（２）伸縮可動部の説明：
（３）伸縮可動部の変形例：
【００１１】
（１）遊技機の概要：
本発明に基づく跳躍式玩具Ａ１の実施の形態について図面を利用して説明する。
図１は、跳躍式玩具Ａ１の構成を示す全体斜視図である。
同図において、跳躍式玩具Ａ１は、全体的に金属製の部材にて形成されており、これらを所定の位置に組み合わせることにより跳躍式玩具Ａ１として機能するように設けられている。
【００１２】
跳躍式玩具Ａ１は、本体部１０と、伸縮可動部２０とから構成されている。すなわち、この跳躍式玩具Ａ１は、本体部１０に伸縮可動部２０を配設することにより、所定の跳躍運動を行なう機能を有している。
【００１３】
また、本体部１０は、第１支柱部材１２と、ハンドル部材１４と、踏み台部材１６とから形成されている。
第１支柱部材１２は、本体部１０の基材をなしており、所定長の略棒状の金属製パイプ材にて形成されている。
ハンドル部材１４は、第１支柱部材１２と同様のパイプ材にて形成されており、両端にハンドル部材１４を握持するためのグリップ１４ａが装着されている。また、このハンドル部材１４は、中央部付近において第１支柱部材１２の一方の端部と直交するように溶接して固定されている。
【００１４】
踏み台部材１６は、略板状を呈する鋼板を平面視略楕円形状に切り抜いた形状となっている。また、この踏み台部材１６は、中心に第１支柱部材１２を挿通するための開口部１６ａが形成されている。すなわち、この踏み台部材１６は、第１支柱部材１２のハンドル部材１４が設けられている端部とは反対側の端部から若干の間隔を余した位置に第１支柱部材１２に溶接して固定されている。
【００１５】
（２）伸縮可動部の説明：
図２は、跳躍式玩具Ａ１の要部の構成を示す側面図である。
同図において、伸縮可動部２０は、第１支柱部材１２の踏み台部材１６の設けられている側の端部に配設されている。この伸縮可動部２０の外周には、後述する蛇腹部材２８が、伸縮可動部２０のおおむね全域に渡って設けられている。この蛇腹部材２８は、長手方向へ伸縮機能を有する略蛇腹状を呈している。すなわち、この蛇腹部材２８は、伸縮可動部２０の長手方向への伸縮に追従して所定の範囲で伸縮自在に設けられている。
【００１６】
図３は、跳躍式玩具Ａ１を矢視線Ｘ１（図２参照）より視認した図であって、要部の構成を示す矢視断面図である。
同図にいて、伸縮可動部２０は、第２支柱部材２２と、コイルスプリング２４と、突き当て部材２６と、蛇腹部材２８とから形成されている。
【００１７】
第２支柱部材２２は、第１支柱部材１２よりも一回り小径の金属製のパイプ材にて形成されている。この第２支柱部材２２は、第１支柱部材１２の踏み台部材１６の設けられている側の端部の筒の内周面に摺動する状態で所定の範囲を抜脱自在に設けられている。また、この第２支柱部材２２の自由端側は、他の箇所より若干太径の構造を呈する太径部２２ａが形成されている。
【００１８】
コイルスプリング２４には、長手方向に所定の付勢力を有している。すなわち、このコイルスプリング２４は、内部に第２支柱部材２２を挿通するとともに、長手方向の一端を踏み台部材１６に溶接して固定され、かつ、他端を第２支柱部材２２の太径部２２ａにて固定することで、伸縮可動部２０の付勢手段として機能するように配設されている。
【００１９】
突き当て部材２６は、ゴム製の弾性体にて形成されており、跳躍式玩具Ａ１を使用する際に地面に突き当てられる第２支柱部材２２の自由端側の端部を跳躍運動の衝撃から保護するとともに、跳躍運動を補助するために設けられている。
この突き当て部材２６の外形は、側面視略凸状形状を呈している。すなわち、この突き当て部材２６は、凸状の上端に設けられている突起部２６ａが第２支柱部材２２に装着される部分である。
【００２０】
突き当て部材２６は、第２支柱部材２２に装着される際に、後述する蛇腹部材２８を保持する機能も有している。従って、この突起部２６ａは、第２支柱部材２２から容易に脱落しないように太径部２２ａの外形よりも若干太径となる形状に形成されている。
【００２１】
また、突き当て部材２６の下側の台座部２６ｂは、所定の厚みを有する略円盤形状を呈しており、第２支柱部材２２の外径とおおむね同等の外径となる大きさに形成されている。さらに、この台座部２６ｂは、第２支柱部材２２に装着された状態で、台座部２６ｂの上面と第２支柱部材２２端部とが密着し得る形状に形成されている。これは、後述する蛇腹部材２８を確実に保持するためである。
【００２２】
蛇腹部材２８は、ポリプロピレン等の合成樹脂材にて形成されており、略円筒形状で略蛇腹状を呈している。
すなわち、この蛇腹部材２８は、踏み台部材１６と接する端部が自由端方向へ略テーパー状を呈する上端部２８ａが形成されている。また、この上端部２８ａから下方へ移行する所定の範囲には、若干くびれた細径部２８ｂが形成されている。
【００２３】
また、この細径部２８ｂからさらに中辺部側には、互いに平行に設けられた約３０個の突起を有する蛇腹部２８ｃが設けられている。そして、この蛇腹部２８ｃの下方には、第２支柱部材２２の有する太径部２２ａとおおむね同様の長さの細径部２８ｄが形成されている。この細径部２８ｄの自由端側には、細径部２８ｄの端部から軸方向へ屈曲された下端部２８ｅが設けられている。すなわち、この下端部２８ｅは、細径部２８ｄから第２支柱部材２２の外周までの隙間を閉塞するように平面視略ドーナツ状に形成されている。
【００２４】
また、この蛇腹部材２８は、放置状態で軸方向の長さが踏み台部材１６から第２支柱部材２２の自由端側の端部までの長さより若干長めに形成されている。すなわち、この蛇腹部材２８は、伸縮可動部２０に配設されると、踏み台部材１６の下端から突き当て部材２６の上端までを被覆し得る程度で、かつ、適宜軸方向へ付勢された状態で配設されている。
また、この蛇腹部材２８は、略蛇腹状を呈しているので、コイルスプリング２４の伸縮に追従して伸縮自在に設けられている。
【００２５】
以上のような構成において、伸縮可動部２０に蛇腹部材２８を配設する方法について具体例としての図３を参照して説明する。
まずはじめに、第２支柱部材２２に太径部２２ａの反対側からコイルスプリング２４を挿通させる。次に、第１支柱部１２の踏み台部材１６の設けられている側の端部の開口部に第２支柱部材２２を挿入する。ここで、コイルスプリング２４の踏み台部材１６と接する側の端部を踏み台部材１６の底面に溶接する。
【００２６】
次に、伸縮可動部２０の自由端側、すなわち、太径部２２ａ側から第２支柱部材２２及びコイルスプリング２４を被覆するように蛇腹部材２８を挿通させる。こうして、蛇腹部材２８を踏み台部材１６に当接するまで挿通した後、太径部２２ａの自由端に突き当て部材２６を装着することにより、下端部２８ｅを太径部２２ａと突き当て部材２６とに挟まれるようにして固定する。
【００２７】
ここで、本実施例の跳躍式玩具Ａ１における要部の作用について説明する。
使用者が踏み台部材１６に乗って跳躍式玩具Ａ１を動作させると、図３の矢印ａに示すように、略上下方向に伸縮する。すると、コイルスプリング２４の伸縮に伴って蛇腹部材２８も適宜伸縮する。この際、蛇腹部材２８は、コイルスプリング２４が最大伸長時であっても、それ以上に伸長する方向に付勢されている。これにより、蛇腹部材２８は、コイルスプリング２４の伸縮のいかなる場合においても、常時コイルスプリング２４の外周を包囲した状態を維持することが可能である。
【００２８】
なお、本実施例において、蛇腹部材２８は、略蛇腹状を呈する筒状体にて形成されている場合について説明しているが、コイルスプリング２４に追従するとともに、ある一定の隙間を余すことなく伸縮することが可能な材質であれば、ゴム製の部材等にて形成されていてもよい。
【００２９】
また、この跳躍式玩具Ａ１の有する蛇腹部材２８は、本実施例においては、第２支柱部材２２と突き当て部材２６とによって挟まれることで保持されているが、この方法だけでなく、以下の方法で保持されていてもよい。
【００３０】
（３）遊技機の変形例：
図４は、跳躍式玩具Ａ１の変形例を図２に示す矢視線Ｘ１と同様の位置より視認した図であって、要部の構成を示す矢視断面図である。
同図において、第２支柱部材１２２の自由端側に形成されている太径部１２２ａの端部には、全周が外周に突出した形状を呈するフランジ部１２２ｂが形成されている。このフランジ部１２２ｂは、蛇腹部材１２８を伸縮可動部１２０の上端から下端までの全域において、コイルスプリング１２４を常時包囲するべく保持させておくために形成されている。
【図面の簡単な説明】
【図１】本発明にかかる跳躍式玩具Ａ１の構成を示す全体斜視図である。
【図２】本発明にかかる跳躍式玩具Ａ１の要部の構成を示す側面図である。
【図３】本発明にかかる跳躍式玩具Ａ１を矢視線Ｘ１（図１参照）より視認した図であって、要部の構成を示す矢視断面図である。
【図４】本発明にかかる跳躍式玩具Ａ１の変形例を図１に示す矢視線Ｘ１と同様の位置より視認した図であって、要部の構成を示す矢視断面図である。
【図５】従来例の跳躍式玩具Ｘを図１に示す矢視線Ｘ１と同様の位置より視認した図であって、要部の構成を示す矢視断面図である。
【符号の説明】
Ａ１…跳躍式玩具
１０，１１０…本体部
１２，１１２…第１支柱部材
１４…ハンドル部材
１６，１１６…踏み台部材
２０，１２０…伸縮可動部
２２，１２２…第２支柱部材
２４，１２４…コイルスプリング
２６，１２６…突き当て部材
２８，１２８…蛇腹部材
【図１】
2004159867.tif 000003
【図２】
2004159867.tif 000004
【図３】
2004159867.tif 000005
【図４】
2004159867.tif 000006
【図５】
2004159867.tif 000007